(57)【要約】【課題】どのような厚さの本でも、全ての活字が見えるようにページ押えでページを保持でき、且最小の手間でページ捲りが可能で、且書見台の不使用時に、運動用具として使用できるようにする。【解決手段】保持板と支持棚で形成した載置板の両側に、略平行に配置した側板に回動自在に取り付け可能な載置板取付手段と、載置板に載置する本の開いたページを保持し、載置板の前側に配設した透明なページ押え板が、保持板の表面の上方で上下に可動可能に設けたページ保持手段と、保持板の裏側が踏み段の踏み板となる踏み段手段で構成する。【選択図】図１
2007289368.tif 000002
【特許請求の範囲】
【請求項１】
保持板と支持棚で形成した載置板の両側に、略平行に配置した側板に、回動自在に取り付け可能な載置板取付手段と、載置板に載置する本の開いたページを保持し、載置板の前側に配設した透明なページ押え板が、保持板の表面の上方で上下に可動可能に設けたページ保持手段と、保持板の裏側が踏み段の踏み板となる踏み段手段である多機能書見台。
【請求項２】
略平行に配置した側板は、前後２枚且回動自在に連結して形成し、側板の先端部側と前記側板の連結部に、夫々載置板を回動自在に取り付けたことを特徴とする請求項１記載の多機能書見台。
【請求項３】
踏み板を、側板の下端部に固着し、載置板の取り付けが回動自在、着脱自在であることを特徴とする請求項１記載の多機能書見台。
【請求項４】
載置板取付手段が、保持板の裏側中間部の左右方向に連結板を設け、連結板を側板に回動自在に取り付けたことを特徴とする請求項３記載の多機能書見台。
【請求項５】
踏み板の取付高さ位置が、変更可能である請求項３、４項記載のうち、いずれか１項記載の多機能書見台。
【請求項６】
側板に、背もたれ側板と固定板を回動自在に設け、背もたれ側板を介して側板に載置板を取り付けたことを特徴とする請求項３~５項記載のうち、いずれか１項記載の多機能書見台。
【請求項７】
ページ保持手段の構成が、側板に回動自在に取り付けた補助板とページ押え板をゴム紐で連結した請求項１~６項記載のうち、いずれか１項記載の多機能書見台。
【請求項８】
ページ保持手段の構成が、補助板を保持板の裏側に取り付けたことを特徴とする請求項７記載の多機能書見台。
【請求項９】
ページ保持手段の構成が、保持板の両側端面を曲面に形成し、ページ押え板に取り付けたゴム紐を、保持板を捲いて設けたことを特徴とする請求項１~６記載のうち、いずれか１項記載の多機能書見台。
【発明の詳細な説明】
【技術分野】
【０００１】
本発明は、書見台の改良に関し、踏み台にも使用できる多様な機能を持つてなる書見台。
【背景技術】
【０００２】
従来、書見台は多種多様のものが知られているが、書見台を健康を維持．増進させるための昇降運動用踏み台として使用できるようにしたものは未だ知られていない。また、従来の書見台の載置板に、載置した本のページを保持する保持手段として、載置板の左右に透明なプラスチツク板を設けたものがある。（例えば、特許文献１参照。）。
また、ページの保持手段として載置板の上下にゴム紐を設けたものもある。（例えば、特許文献２参照。）。
【０００３】
以下、図１６、図１７、により従来の書見台をについて説明する。図１６において、３１は透明なプラスチツク板で、ポール３３に回転自在に蝶ナツト３２で取り付け、ポール３３を介して載置板３０に取り付けている。載置板３０に載置した本２８のページはプラスチツク板３１で押えることによりページを保持している。
【０００４】
図１７において、６はリング状のゴム紐で、載置板３０の上部と下部に配設した横桟３４に左右に摺動可能に捲着している。本２８のページは、左右に配設した二対のゴム紐６の上下の隙間に挟み保持する。
【特許文献１】実公平６−８７４４
【特許文献２】特開２００５−９５４６３
【発明の開示】
【発明が解決しようとする課題】
【０００５】
以上に述べた従来の書見台では、本を読むためのもので、本の重量を支え、本を読むに必要な構造であればよく、前記したような人の体重が負荷となる踏み台として使用に耐えるようにしたものはない。また文献１に示すものは、本を透明なページ押えで保持し、ページの捲りも容易ではあるが、載置板とページ押えの間に載置可能な厚さのものしか使用できなかつた。
【０００６】
文献２に示すものは、本の厚さには対応できるが、読書の過程でゴム紐で隠れた活字を読む場合、その都度ゴム紐を移動させてページを捲るという手間がかかるものであつた。
【０００７】
本発明は、直接的には、このような従来の構成が有していた問題を解決しようとするものであり、どのような厚さの本でも全ての活字が見えるように、ページ押えでページを保持でき、且最小の手間でページ捲りが可能で、且書見台の不使用時、健康を維持．増進させるため、足裏つぼと土踏まず刺激板を具備した昇降運動用踏み台として使用できる多機能な書見台を実現することを目的とするものである。また間接的ではあるが、本発明が目的としたもは、現在の日本は、急速に高齢化が進んでおり、６５歳以上の人口が総人口に占める割合は３人に１人が高齢者という社会が予想される。そして高齢化に伴い認知症の増加という問題である。認知症は、脳卆中等の脳血管障害を原因とする場合や、脳を使わないことにより廃用性萎縮でなる場合があるが、まだ十分に解明されたとはいえない。また転倒・骨折・寝たきり・認知症というコースになる場合が増大し、本人や家族の苦労はつきない。このような問題を解決するために、読書や囲碁等は創造性を高め、脳の前頭前野に血流を促し、認知症防止に効果があるという研究結果が最近発表されている。また適度の運動が脳の血流を促し、脳の働きを活発にし、血管の老化を防止する上で効果的であるという研究もすすんでいる。しかしこれらのことは、長く続けてはじめて効果があり、長く続けられるということがポイントである。その条件は、仲間で楽しむことができれば理想的ではあるが、どこででも、一人ででも、天候に左右されず、無理なく、一生続けられることが大切である。以上のことに鑑み、認知症を予防する第一歩として、容易に読書ができ、気軽に運動ができる用具を提供することも目的である。
【課題を解決するための手段】
【０００８】
請求項１記載の発明に係わる多機能書見台は、保持板と支持棚で形成した載置板の両側に、略平行に配置した側板に回動自在に取り付け可能な載置板取付手段と、載置板に載置する本の開いたページを保持し、載置板の前側に配設した透明なページ押え板が、保持板の表面の上方で上下に可動可能に設けたページ保持手段と、保持板の裏側が踏み台の踏み板となる踏み台手段であることを特徴とする。
【０００９】
載置板取り付け手段は、支持棚の両端部にネジ部と取付部で形成した連結金具を取り付け、側板に穿設した取付孔にネジ部を挿通し蝶ナツトで螺合するとよい。また、支持棚の両端面に雌ネジを螺設したり、植込ボルトを植え込んでボルト．ナツト等で螺合してもよい。
【００１０】
透明なページ押え板はプラスチツクで形成するが、厚さを１ミリ〜１・５ミリにするとページ押え時、およびページ捲り時、ページ押え板が湾曲に形成するので保持、捲りが効果的である。
【００１１】
保持板は、本を載置する載置板と踏み台の踏み板を合わせて構成しているので、保持板の厚さは、使用者の体重の負荷に耐える厚さにするとよい。
【００１２】
請求項２記載の発明は、請求項１記載の多機能書見台において、略平行に配置した側板は、前後２枚且回動自在に連結して形成し、側板の先端部側と側板の連結部に、夫々載置板を回動自在に取り付けたことを特徴とする。
【００１３】
請求項３記載の発明は、請求項１記載の多機能書見台において、踏み板を、側板の下端部に固着し、載置板の取り付けが回動自在、着脱自在であることを特徴とするものである。    
【００１４】
請求項４記載の発明は、請求項３記載の多機能書見台において、載置板取り付け手段が、保持板の裏側中間部の左右方向に連結板を設け、連結板を側板に回動自在に取り付けたことを特徴とする。
【００１５】
請求項５記載の発明は、請求項３、４記載の多機能書見台において、踏み板の取付高さ位置が、変更可能であることが特徴とする。
【００１６】
請求項６記載の発明は、請求項５記載の多機能書見台において、側板に背もたれ側板と固定板を回動自在に設け、背もたれ側板を介して側板に載置板を取り付けたことを特徴とする。
【００１７】
請求項の７記載の発明は、請求項１~６記載の多機能書見台において、ページ保持手段の構成が、側板に回動自在に取り付けた補助板とページ押え板をゴム紐で連結したことを特徴とするものである。  
【００１８】
請求項８の発明は、請求項７記載の多機能書見台において、ページ保持手段の構成が、補助板を保持板の裏側に取り付けたことを特徴とするものである。
【００１９】
請求項９の発明は、請求項１~６記載の多機能書見台において、ページ保持手段の構成が、保持板の両側端面を曲面に形成し、ページ押え板に取り付けたゴム紐を、保持板を捲いて設けたことを特徴とする。
【００２０】
［作用］
本発明に係わる多機能書見台は、次ぎのように使用する。書見台として使用する場合は、まず、側板に取り付けている載置板の傾斜角度を、本を読む時の姿勢の状態に合わせて角度調整し固定する。回動自在に取り付けているので、目の疲労が最も少ない、視線に対して９０度近くの角度 に調整する。また載置板に配設しているページ押え板は、読む本の大小、厚薄に対応して、ページ押え板の上下の位置とページ押え板に設けているゴム紐の引張力を調節する。ゴム紐は載置板の裏側又は側板の側面に取り付けた補助板に取り付けるか載置板を捲着させるかして連結し、載置板に本を載置したとき、ページ押え板が本を圧着するようにする。また側板に載置板を取り付ける取付孔に取付溝を形成しているものは、載置板を回動自在、且着脱自在に設けることができる。また載置板を２箇設けたものは、載置板を上下二段に形成し、一方の側板で傾斜を支えて使用する。図１１で示したように仰臥ででも使用できるが、通常は机上で教科書や参考書や辞典や資料等を載置し、狭い机上を効率的に使用し、且学習効果向上に使用するものである。更に側板に背もたれ側板を介して載置板を取り付けているものの載置板傾斜角度の調節は、載置板と背もたれ側板の取り付けと側板及び背もたれ側板と固定板の組合せによって行い使用する。
【００２１】
本発明に係わる多機能書見台を昇降運動用踏み台として、載置板の裏側を踏み板として利用する場合は、載置板を１８〇度回動させて、載置板の裏面が上面になるようにする。載置板と踏み板が別途に設けているものは、載置板を回動させて、側板と側板の間に収納状態にして踏み台として使用する。また側板に背もたれ側板を介して載置板を取り付けているものは、そのままの状態で踏み台として使用できる。また側板に上下に並列して取付孔を穿設してしているものは、踏み板の高さ調整が可能である。また本発明は座椅子としても使用できる。また踏み板に設けている突起ゴムは、足の裏のつぼを刺激して血流を促進する。土踏まず板は、足の裏では高血圧ゾーンといわれるくらい血行の良し悪しに関係のある重要な領域である土踏まずを刺激するものである。土踏まず板を外して踏み台を使用することもできる。
【発明の効果】
【００２２】
以上述べたように本発明の多機能書見台は、どのような厚さの本を載置板に載置して使用する場合でも、開いたページを安定して保持でき、且最小の手間で、ページを捲り、捲つたページを保持することができる。
【００２３】
載置板は、側板に回動自在に取り付け、又は側板と側板の間に収納可能なので、書見台としての不使用時は、昇降運動用踏み台として使用でき、足裏つぼ、土踏まず刺激と足の筋肉トレーニング、血流促進により健康を維持増進させることができる。
【００２４】
高齢者は本発明により、一層読書が容易になり踏み台で簡単なトレーニングを繰り返すことで、脳も筋肉を活性化し、認知症予防に可能性を持てるようになる。
【発明を実施するための最良の形態】
【００２５】
以下、本発明の実施の形態を図１~図１５に基づいて説明する。
【００２６】
（実施例１）  図においては、１は載置板で、本２８の背表紙を支える保持板２と本２８の下端部を支える支持棚３で形成している。支持棚３下部の両側に、取付部８とネジ部９で形成した連結金具７を設けている。また載置板１の両側に長方形状の側板１３を設け、側板１３の前側は、前記連結金具７のネジ部９を側板１３に穿設した取付孔２４に挿通し蝶ナツト１０で回動自在に取り付けている。また側板１３の後部側は両側に連結金具７を具備した連結板１２でネジ部９と蝶ナツト１１で回動自在に連結している。更に側板１３に長方形状の補助板４を回動自在に 取り付けている。また保持板２の前側左右方向に、両側にゴム紐６を具備した長方形状で透明なプラスチツク板のページ押え板５を配設している。また前記側板１３に長方形状の補助板４を、保持板２の後側に配設なる位置に回動自在に取り付け、前記ゴム紐６の一端と連結している。また前記保持板２の裏側に一対の突起ゴム１５を取り付け、更に長方形状の土踏まず板１４を着脱自在に嵌合している。そして図９に示すように、載置板１と補助板４を折り畳み、側板１３と保持板２の裏側で踏み台としての機能を構成している。
【００２７】
（実施例２）図においては、側板１３を前後にニ箇配設し、連結金具７のネジ部９と蝶ナツト１０で回動自在に連結し、側板１３の連結部と前部に支持棚３を回動自在に取り付け、ニ箇の載置板１を設けている。また補助板４は保持板２裏側に回動自在に取り付け、ページ押え板５に具備しているゴム紐６と連結している。また後部側の補助板４は土踏まず板１４の機能を合わせ持つように肉厚に形成している。また突起ゴム１５は後部側の保持板２にのみ取り付けている。図１２に示すように、両載置板１を折り畳み、後部側の保持板２が上部になるように形成し、側板１３と保持板２の裏側で踏み台としての機能を構成している。
【００２８】
（実施例３）図においては、側板１３に取付溝孔１９を設け、支持棚３を回動自在、着脱自在に取り付けている。また踏み板１８は前後二箇で構成し、側板１３の下部に固着している。また二箇の踏み板１８の間に土踏まず板１４を着脱自在に嵌合している。
【００２９】
（実施例４）図においては、保持板２の裏側の中央部左右方向に連結杆２１を設け、連結杆２１に取り付けた連結金具７と側板１３を回動自在に取り付けている。ページ押え板５に具備しているゴム紐６の一端は蝶ナツト２２に掛けて、ページ押え板５の機能を保持している。
【００３０】
（実施例５）図においては、側板１３に上下方向に任意の間隔で複数の取付孔２４を穿設し、各取付孔２４を連通溝２３で連通したものを、側板１３の前後に形成している。
【００３１】
（実施例６）図においては、側板１３の外側に、長方形状の背もたれ側板２５の一端部側と四角形状で偏芯の固定板２６をビスと蝶ナツトで回動自在に取り付けている。背もたれ側板２５の他端部に載置板１を回動自在に設けている。
【００３２】
（実施例７）図においては、保持板２の両端部を曲面に形成し、曲面部２７を構成している。ページ押え板５に具備しているゴム紐６は保持板２を捲着して、ページ押え板５の機能を保持している。
【図面の簡単な説明】
【００３３】
【図１】この発明の実施例１を示す正面図及びＡ−Ａ、Ｂ−Ｂ矢視図
【図２】この発明の実施例２を示す平面図及びＣ−Ｃ、Ｄ−Ｄ矢視図
【図３】この発明の実施例３を示す正面図及びＥ−Ｅ、Ｆ−Ｆ矢視図
【図４】この発明の実施例４を示す正面図
【図５】この発明の実施例５を示す参考図
【図６】この発明の実施例６を示す側面図
【図７】この発明の実施例７を示す正面図及びＧ−Ｇ矢視
【図８】図１の書見台の使用状態を示す側面図
【図９】図１の踏み台の使用状態を示す側面図
【図１０】図２の書見台の机上での使用状態を示す側面図
【図１１】図２の書見台の仰臥で使用状態を示す側面図
【図１２】図２の踏み台の使用状態を示す側面図
【図１３】図３の踏み台の使用状態を示す側面図
【図１４】図６の書見台の使用状態の一例を示す参考図
【図１５】ページ押え板の使用状態を示す参考図
【図１６】従来の書見台を示す参考図
【図１７】従来の書見台を示す参考図
【符号の説明】
【００３４】
１    載置板
２    保持板
３    支持棚
４    補助板
５    ページ押え板
６    ゴム紐
７    連結金具
８     取付部
９     ネジ部
１２    連結板
１３    側板
１４    土踏まず板
１５    突起ゴム
１８    踏み板
１９    取付溝
２１    連結杆
２３    連通溝        
２５    背もたれ 側板
２６    固定板
２７    曲面部
２８    本
【図１】
2007289368.tif 000003
【図２】
2007289368.tif 000004
【図３】
2007289368.tif 000005
【図４】
2007289368.tif 000006
【図５】
2007289368.tif 000007
【図６】
2007289368.tif 000008
【図７】
2007289368.tif 000009
【図８】
2007289368.tif 000010
【図９】
2007289368.tif 000011
【図１０】
2007289368.tif 000012
【図１１】
2007289368.tif 000013
【図１２】
2007289368.tif 000014
【図１３】
2007289368.tif 000015
【図１４】
2007289368.tif 000016
【図１５】
2007289368.tif 000017
【図１６】
2007289368.tif 000018
【図１７】
2007289368.tif 000019